(57)【要約】      （修正有）【課題】スクリーンを全開にした際の建物開口部の間口を広くできる折畳式スクリーン装置を提供する。【解決手段】第１及び第２の縦枠杆１３，１４と上下の横枠杆１２ａ，１２ｂとからなるスクリーン枠１１と、スクリーン枠１１内を移動自在の操作杆１５と、アコーディオン式のスクリーン１６とを有し、該スクリーン１６の一端及び他端は前記第１の縦枠杆１３と操作杆１５とに連結され、操作杆１５を前記第１の縦枠杆１３側に移動させて第１の縦枠杆１３に合体させると、折り畳まれた前記スクリーン１６が操作杆１５と第１の縦枠杆１３との間に収納されるスクリーン装置において、第１の縦枠杆１３は方向転換自在に配設され、操作杆１５と合体した状態で、第１の縦枠杆１３と操作杆１５とが前記スクリーン枠１１の間口方向に隣り合う第１位置Ａと、該第１の縦枠杆１３と操作杆１５とが前記スクリーン枠１１の奥行き方向に隣り合う第２位置Ｂとに方向転換する。【選択図】図１
2015148058.tif 000002
【特許請求の範囲】
【請求項１】
第１及び第２の縦枠杆と上下の横枠杆とからなるスクリーン枠と、上下端を前記上下の横枠杆に案内されて該スクリーン枠内を移動自在の操作杆と、上下端を前記上下の横枠杆に案内されてアコーディオン式に伸縮自在のスクリーンとを有し、該スクリーンの一端は前記第１の縦枠杆に連結され、該スクリーンの他端は前記操作杆に連結されていて、該操作杆を移動操作することにより前記スクリーンが伸縮して開閉し、該操作杆を前記第１の縦枠杆側に移動させて該第１の縦枠杆に合体させると、折り畳まれた前記スクリーンが該操作杆と第１の縦枠杆との間に収納されるように構成されたスクリーン装置において、
前記第１の縦枠杆は、前記上下の横枠杆の一端側に方向転換自在に配設されていて、前記操作杆と合体した状態で、該第１の縦枠杆と操作杆とが前記スクリーン枠の間口方向に隣り合う第１位置と、該第１の縦枠杆と操作杆とが前記スクリーン枠の奥行き方向に隣り合う第２位置とに方向転換可能である、
ことを特徴とする折畳式スクリーン装置。
【請求項２】
前記上下の横枠杆の一端に、合体した前記第１の縦枠杆と操作杆との上下端部を受容する受容部がそれぞれ形成され、該受容部には、揺動アームが垂直な揺動支持軸を中心に揺動自在なるように配設され、該揺動アームに前記第１の縦枠杆が支持部材を介して回動自在に支持されていることを特徴とする請求項１に記載のスクリーン装置。
【請求項３】
前記支持部材は、前記揺動アームに、垂直な連結ピンを中心に回動自在に連結されていて、前記第１の縦枠杆を支持する縦枠杆支持部と、前記操作杆を支持する操作杆支持部とを有し、前記縦枠杆支持部には前記第１の縦枠杆が連結され、前記操作杆支持部には、前記操作杆が前記第１の縦枠杆と合体した状態で支持されるように構成されたことを特徴とする請求項２に記載のスクリーン装置。
【請求項４】
前記スクリーン装置は、第１及び第２のワイヤーによるガイドによって前記操作杆を垂直姿勢で平行移動させる平行移動機構を有し、前記第１のワイヤーは、一端及び他端が第１の引張ばねを介して前記第２の縦枠杆の第１の連結部に連結され、該第１のワイヤーの中間部分は、前記第２の縦枠杆から上方の横枠杆、操作杆、スクリーン、及び第１の縦枠杆の間を掛け回され、前記第２のワイヤーは、一端及び他端が第２の引張ばねを介して前記第２の縦枠杆の第２の連結部に連結され、該第２のワイヤーの中間部分は、前記第２の縦枠杆から下方の横枠杆、操作杆、スクリーン、及び第１の縦枠杆の間を掛け回されていることを特徴とする請求項１から３の何れかに記載のスクリーン装置。
【発明の詳細な説明】
【技術分野】
【０００１】
本発明は、遮光や断熱、目隠し、防虫等のために建物開口部に取り付けられるスクリーン装置に関するものであり、更に詳しくは、アコーディオン式に折畳自在のスクリーンを備えた折畳式スクリーン装置に関するものである。
【背景技術】
【０００２】
遮光や断熱、目隠し、防虫等のために建物開口部に取り付けられるスクリーン装置として、アコーディオン式に折畳自在のスクリーンを備えた折畳式スクリーン装置は、例えば特許文献１や特許文献２等に開示されているように従来より周知であり、通常、図９及び図１０に示すように構成されている。
即ち、このスクリーン装置は、第１及び第２の縦枠杆５１ａ，５１ｂと上下の横枠杆５２ａ，５２ｂとからなる矩形のスクリーン枠５０と、前記上下の横枠杆５２ａ，５２ｂに沿って移動自在の操作杆５３と、アコーディオン式に伸縮自在のスクリーン５４とを有している。そして、前記スクリーン５４の一端は前記第１の縦枠杆５１ａに連結され、該スクリーン５４の他端は前記操作杆５３に連結されていて、図９に示すように該操作杆５３を移動操作することにより前記スクリーン５４が伸縮して開閉し、図１０に示すように該操作杆５３を前記第１の縦枠杆５１ａ側に移動させて該第１の縦枠杆５１ａに合体させると、折り畳まれた前記スクリーン５４が該操作杆５３と前記第１の縦枠杆５１ａとの間に収納されるように構成されている。
【０００３】
前記スクリーン装置は、すべり出し窓のサッシ５５に取り付けた例であって、符号５６は、支持軸を中心にして室外側に押し出して開く障子を示している。しかし、このスクリーン装置は、引き違い窓に取り付けられることもある。
【０００４】
前記従来のスクリーン装置は、図１０のように前記操作杆５３を第１の縦枠杆５１ａ側に移動させてスクリーン５４を全開にし、該操作杆５３を前記第１の縦枠杆５１ａに合体させたとき、これらの操作杆５３と第１の縦枠杆５１ａとがスクリーン枠５０の側端部の位置で間口方向に隣り合い、建物開口部の一部を塞ぐため、該建物開口部の間口が狭くなって眺望性が損なわれるだけでなく、前記操作杆５３と第１の縦枠杆５１ａとがガラス障子の清掃の邪魔になったり、ガラス障子の開閉操作の障害になるなどの問題があった。
【先行技術文献】
【特許文献】
【０００５】
【特許文献１】実開平７−３８５８４号公報
【特許文献２】実開平７−４０９８７号公報
【発明の概要】
【発明が解決しようとする課題】
【０００６】
本発明の技術的課題は、スクリーンを全開にした際の建物開口部の間口を広くすることができる折畳式スクリーン装置を提供することにある。
【課題を解決するための手段】
【０００７】
前記課題を解決するため、本発明によれば、第１及び第２の縦枠杆と上下の横枠杆とからなるスクリーン枠と、上下端を前記上下の横枠杆に案内されて該スクリーン枠内を移動自在の操作杆と、上下端を前記上下の横枠杆に案内されてアコーディオン式に伸縮自在のスクリーンとを有し、該スクリーンの一端は前記第１の縦枠杆に連結され、該スクリーンの他端は前記操作杆に連結されていて、該操作杆を移動操作することにより前記スクリーンが伸縮して開閉し、該操作杆を前記第１の縦枠杆側に移動させて該第１の縦枠杆に合体させると、折り畳まれた前記スクリーンが該操作杆と前記第１の縦枠杆との間に収納されるように構成されたスクリーン装置において、前記第１の縦枠杆は、前記上下の横枠杆の一端側に方向転換自在に配設されていて、前記操作杆と合体した状態で、該第１の縦枠杆と操作杆とが前記スクリーン枠の間口方向に隣り合う第１位置と、該第１の縦枠杆と操作杆とが前記スクリーン枠の奥行き方向に隣り合う第２位置とに方向転換可能であることをことを特徴とする折畳式スクリーン装置が提供される。
【０００８】
本発明においては、前記上下の横枠杆の一端に、合体した前記第１の縦枠杆と操作杆との上下端部を受容する受容部がそれぞれ形成され、該受容部には、揺動アームが垂直な揺動支持軸を中心に揺動自在なるように配設され、該揺動アームに前記第１の縦枠杆が支持部材を介して回動自在に支持されている。
【０００９】
この場合、前記支持部材は、前記揺動アームに、垂直な連結ピンを中心に回動自在に連結されていて、前記第１の縦枠杆を支持する縦枠杆支持部と、前記操作杆を支持する操作杆支持部とを有し、前記縦枠杆支持部には前記第１の縦枠杆が連結され、前記操作杆支持部には、前記操作杆が前記第１の縦枠杆と合体した状態で支持されるように構成されていることが望ましい。
【００１０】
本発明において、前記スクリーン装置は、第１及び第２のワイヤーによるガイドによって前記操作杆を垂直姿勢で平行移動させる平行移動機構を有し、前記第１のワイヤーは、一端及び他端が第１の引張ばねを介して前記第２の縦枠杆の第１の連結部に連結され、該第１のワイヤーの中間部分は、前記第２の縦枠杆から上方の横枠杆、操作杆、スクリーン、及び第１の縦枠杆の間を掛け回され、前記第２のワイヤーは、一端及び他端が第２の引張ばねを介して前記第２の縦枠杆の第２の連結部に連結され、該第２のワイヤーの中間部分は、前記第２の縦枠杆から下方の横枠杆、操作杆、スクリーン、及び第１の縦枠杆の間を掛け回されていることが望ましい。
【発明の効果】
【００１１】
本発明によれば、スクリーンの全開時に、前記操作杆を第１の縦枠杆に合体させた状態で、該操作杆と第１の縦枠杆とを、それらがスクリーン枠の間口方向に隣り合う第１位置から、スクリーン枠の奥行き方向に隣り合う第２位置に方向転換させることにより、建物開口部の間口を広くすることができ、この結果、該建物開口部を通じての眺望性が良くなるばかりでなく、前記操作杆と第１の縦枠杆とが障子の清掃や開閉操作等の邪魔にならないので、該障子の清掃や開閉操作等を行い易くなるという利点がある。
【図面の簡単な説明】
【００１２】
【図１】本発明に係る折畳式スクリーン装置の一実施形態を示す正面図で、スクリーンの中間開放状態を示す図である。
【図２】図１の水平横断平面図である。
【図３】図１と同様の正面図で、スクリーンが全開状態にあると共に、第１の縦枠杆と操作杆とが第１位置にある状態の図である。
【図４】図３の水平横断平面図である。
【図５】図４と同様の水平横断平面図で、第１の縦枠杆と操作杆とを第２位置に変位させた状態を示す図である。
【図６】（ａ）は第１の縦枠杆と操作杆とが第１位置にある状態を示す要部斜視図、（ｂ）は（ａ）の平面図である。
【図７】（ａ）は第１の縦枠杆と操作杆とが第１位置と第２位置との中間位置にある状態を示す要部斜視図、（ｂ）は（ａ）の平面図である。
【図８】（ａ）は第１の縦枠杆と操作杆とが第２位置にある状態を示す要部斜視図、（ｂ）は（ａ）の平面図である。
【図９】従来の折畳式スクリーン装置を概略的に示す正面図で、スクリーンの中間開放状態を示す図である。
【図１０】図９の水平横断平面図で、スクリーンの全開状態を示す図である。
【発明を実施するための形態】
【００１３】
図１−図８は本発明に係る折畳式スクリーン装置の一実施形態を示すものである。このスクリーン装置１０は、遮光、断熱、目隠し、防虫等の目的のために建物の窓や出入り口等の建物開口部に取り付けて使用するもので、図示した例では、前記スクリーン装置１０が、すべり出し窓のサッシ１にサッシ開口部枠３を介して取り付けられている。このすべり出し窓は、矩形枠状の前記サッシ１に取り付けられた障子２を、支持軸を中心に室外側に押し出して開く窓のことで、図示した実施形態は縦すべり出し窓である。
【００１４】
しかし、前記スクリーン装置１０は、このようなすべり出し窓に限らず、障子を蝶番や軸金具等で回転させて開閉する開き窓、あるいは窓枠の上部を支点として障子を室外側に突き出して開放する突き出し窓、複数の障子を引き違い式に開閉する引き違い窓等にも同様に取り付けることができる。
【００１５】
前記スクリーン装置１０は、上下の横枠杆１２ａ，１２ｂと、該上下の横枠杆１２ａ，１２ｂの長手方向の一端側に配設された第１の縦枠杆１３及び他端側に配設された第２の縦枠杆１４とからなるスクリーン枠１１を有し、該スクリーン枠１１の前記上下の横枠杆１２ａ，１２ｂと第２の縦枠杆１４とが、前記サッシ開口部枠３に固定的に取り付けられ、前記第１の縦枠杆１３は、後述するように上下の横枠杆１２ａ，１２ｂの端部に方向転換可能なるように支持されている。
【００１６】
前記スクリーン枠１１の内部には、上下端を前記上下の横枠杆１２ａ，１２ｂに案内されて移動自在の操作杆１５と、上下端を前記上下の横枠杆１２ａ，１２ｂに案内されてアコーディオン式に伸縮自在のスクリーン１６とが配設され、該スクリーン１６の左右の一端は、前記第１の縦枠杆１３に係止板１６ａを介して連結され、他端は、前記操作杆１５に係止板１６ｂを介して連結されている。そして、図１及び図２に示すように、該操作杆１５を移動操作することにより前記スクリーン１６が伸縮して開閉し、図３及び図４に示すように、該操作杆１５を前記第１の縦枠杆１３側に移動させて該第１の縦枠杆１３に合体させると、該操作杆１５と第１の縦枠杆１３との間に前記スクリーン１６が折り畳まれた状態で収納されるようになっている。
前記操作杆１５を第２の縦枠杆１４に当接する位置まで移動させてスクリーン１６を全閉状態にしたとき、該操作杆１５は、前記第２の縦枠杆１４にマグネットやフック等の適宜手段で係止されるようになっていることが望ましい。
【００１７】
前記操作杆１５の前面壁１５ａの横幅は、後面壁１５ｂの横幅より大きく形成され、該操作杆１５を前記第１の縦枠杆１３と合体させたとき、該操作杆１５の前面壁１５ａが第１の縦枠杆１３の前面壁１３ａと前後に重なり合い、該前面壁１３ａと折り畳まれた前記スクリーン１６とを覆うようになっている。また、該操作杆１５の前面壁１５ａには、開閉操作用の把手１５ｃが上下方向に形成されている。
なお、説明文中の「前」、「後（又は「背」）」の関係については、室内側を「前」とし、室外側を「後（又は「背」）」とするものとする。
【００１８】
また、前記スクリーン装置１０は、前記操作杆１５を垂直姿勢で前記上下の横枠杆１２ａ，１２ｂに沿って平行移動させるための平行移動機構を有している。この平行移動機構は、前記操作杆１５の移動をガイドする第１及び第２のワイヤー２０，２１と、該ワイヤー２０，２１にテンションを付与するための第１及び第２の引張ばね２２，２３とを有している。
【００１９】
前記第１のワイヤー２０は、一端２０ａ及び他端２０ｂが前記第１の引張ばね２２を介して前記第２の縦枠杆１４の第１の連結部２４に連結され、該第１のワイヤー２０の中間部分は、前記第２の縦枠杆１４から上方の横枠杆１２ａ、操作杆１５、スクリーン１６、及び第１の縦枠杆１３の間を掛け回されている。また、前記第２のワイヤー２１は、一端２１ａ及び他端２１ｂが第２の引張ばね２３を介して前記第２の縦枠杆１４の第２の連結部２５に連結され、該第２のワイヤー２１の中間部分は、前記第２の縦枠杆１４から下方の横枠杆１２ｂ、操作杆１５、スクリーン１６、及び第１の縦枠杆１３の間を掛け回されている。
図中２６は、操作杆１５等の端部に前記第１及び第２のワイヤー２０，２１の方向が変更されるように設けられるローラ等の転向子を模式的に示したものである。
【００２０】
前記スクリーン枠１１の前記第１の縦枠杆１３は、前述したように上下の横枠杆１２ａ，１２ｂの一端側に方向転換自在なるように配設されていて、前記操作杆１５と合体した状態で、該第１の縦枠杆１３と前記操作杆１５とが前記スクリーン枠１１の間口方向に隣り合う第１位置Ａ（図４参照）と、該第１の縦枠杆１３と前記操作杆１５とが前記スクリーン枠１１の奥行き方向に隣り合う第２位置Ｂ（図５参照）とに、方向転換可能なるように構成されている。
【００２１】
このため、前記上下の横枠杆１２ａ，１２ｂの端部には、合体した前記第１の縦枠杆１３と操作杆１５との上端部及び下端部を受容して方向転換させるための受容部３０がそれぞれ形成されている。この受容部３０は、図６−８に下方の受容部３０について詳細に示すように、横枠杆１２ｂに連なる台板３１と、該台板３１上に揺動自在に設けられた揺動アーム３２と、該揺動アーム３２に回動自在に連結された支持部材３３とを有している。
【００２２】
前記台板３１は、スクリーン枠１１の左右方向（間口方向）に細長く延在する第１受容領域３１ａと、該第１受容領域３１ａの外側端部から９０度の角度を保ってスクリーン枠１１の前方（奥行き方向）に向けて細長く延在する第２受容領域３１ｂと、これら第１受容領域３１ａと第２受容領域３１ｂとの間の移動用領域３１ｃとを有し、該台板３１の凹状に湾曲する前端辺３１ｄには、該前端辺３１ｄに沿って湾曲する縦壁３４が設けられている。該縦壁３４の、前記第２受容領域３１ｂの先端を覆う部分には、図６（ａ）に鎖線で示すように、上下の受容部３０の縦壁３４同士を連結する連結壁３５を掛け渡しても良い。
【００２３】
前記揺動アーム３２の一端は、前記台板３１の後端辺３１ｅと側端辺３１ｆとが直角に交差するコーナー部に、垂直な揺動支持軸３６を中心に揺動自在なるように支持され、該揺動アーム３２の先端部に、前記支持部材３３の中間部が、垂直な連結ピン３７を中心に回動自在に連結されている。
【００２４】
前記支持部材３３は、前記第１の縦枠杆１３と操作杆１５とが合体したときの長さと同程度の長さを有する細長い部材で、前記台板３１側を向く面（図６−８の下面）には、その幅方向の一半部に、前記揺動アーム３２の幅及び高さとほぼ同じ幅及び高さを有する凹段部４０が形成され、該凹段部４０の中央位置に前記揺動アーム３２の先端が連結ピン３７で回動自在に連結されることにより、前記移動用領域３１ｃを経て前記第１受容領域３１ａと第２受容領域３１ｂとに変位できるようになっている。また、該支持部材３３の前記台板３１と反対側を向く面、即ち、前記第１の縦枠杆１３側を向く面（図６−８の上面）には、該第１の縦枠杆１３及び前記操作杆１５の端部が嵌合する支持溝４１が、該支持部材３３の長さ方向に細長く形成されている。
【００２５】
前記支持溝４１の内部は、前記第１の縦枠杆１３が嵌合する一端側の縦枠杆支持部４１ａと、前記操作杆１５が嵌合する他端側の操作杆支持部４１ｂとに分かれていて、前記縦枠杆支持部４１ａには、前記第１の縦枠杆１３の端部が螺子止め等の適宜方法によって固定的に連結され、前記操作杆支持部４１ｂには、前記操作杆１５の端部が、前記第１の縦枠杆１３と合体したとき嵌合して支持されるようになっている。
前記第１の縦枠杆１３と支持部材３３の端面は、該支持部材３３を回動させるとき前記縦壁３４やサッシ開口部枠３の縦枠部材３ａ（図２参照）等に接触するのを防止するため、角のない弧状に形成されている。
【００２６】
前記支持部材３３は、図１及び図２に示すように、前記操作杆１５を第２の縦枠杆１４側に移動させて開閉操作するときや、該操作杆１５を前記第２の縦枠杆１４に当接する位置まで移動させてスクリーン１６を伸長状態即ち全閉状態にしているときには、前記第１受容領域３１ａ内に位置してスクリーン枠１１の間口方向に延在しており、このとき前記第１の縦枠杆１３は、前記第１位置Ａにおいて前記操作杆１５側を向いている。
【００２７】
そして、図３及び図４に示すように、前記支持部材３３が前記第１受容領域３１ａにある状態で、前記操作杆１５をスクリーン１６の全開位置に移動させて前記第１の縦枠杆１３に合体させると、図６（ａ）、（ｂ）に示すように、該操作杆１５は、前記支持部材３３における支持溝４１の操作杆支持部４１ｂ内に嵌合し、前記第１の縦枠杆１３とスクリーン枠１１の間口方向に隣り合う前記第１位置Ａを占めることになる。この状態では、前記操作杆１５をスクリーン枠１１内で移動させて前記スクリーン１６を開閉操作することができる。また、前記揺動アーム３２は、前記支持部材３３の凹段部４０内に全体が嵌合して該支持部材３３と平行に向いている。
【００２８】
この状態から、前記操作杆１５と第１の縦枠杆１３とを前記第２位置Ｂに変位させるときは、図７（ａ）、（ｂ）に示すように、前記操作杆１５の把手１５ｃを操作し、該操作杆１５及び第１の縦枠杆１３を介して前記支持部材３３を前記連結ピン３７を中心に反時計回りに回転させると共に、前記揺動アーム３２を前記揺動支持軸３６を中心に時計回りに回転させる。そうすると、前記支持部材３３は、前記第１の縦枠杆１３がスクリーン枠１１の前方側（室内側）に来るように徐々に方向転換しながら前記移動用領域３１ｃを移動し、図８（ａ）、（ｂ）及び図５に示すように、前記第２受容領域３１ｂに移動してスクリーン枠１１の奥行き方向を向き、それに伴って前記第１の縦枠杆１３及び操作杆１５も、スクリーン枠１１の奥行き方向に隣り合う前記第２位置Ｂを占めることになる。該第２位置Ｂでは、前記揺動アーム３２も、前記支持部材３３の凹段部４０内に全体が嵌合して該支持部材３３と同じ方向を向く。このとき、前記スクリーン枠１１の間口Ｗを塞ぐ部分は、実質的に前記第１の縦枠杆１３及び操作杆１５の側面だけとなり、その幅Ｘは、前記第１の縦枠杆１３及び操作杆１５が図４の第１位置Ａにある場合の横幅Ｙに比べて大幅に小さくなる。
【００２９】
一方、上方の受容部３０においても、そこに設けられている台板、揺動アーム、及び支持部材が、前記下方の受容部３０の台板３１、揺動アーム３２、及び支持部材３３と同じ動きをする。
また、前記操作杆１５が図６の第１位置Ａと図８の第２位置Ｂとの間で９０度向きを変えながら変位するとき、前記第１及び第２のワイヤー２０，２１は、前記操作杆１５のワイヤ接続口１５ｄが変位する距離分だけ前記上下の横枠杆１２ａ，１２ｂから引き出されたり該上下の横枠杆１２ａ，１２ｂ内に引き込まれたりすることになるが、このときの前記第１及び第２のワイヤー２０，２１の長さの変化分は、前記第１及び第２の引張ばね２２，２３の伸縮によって吸収される。
【００３０】
前記スクリーン装置１０はこのように構成されているため、前記スクリーン１６の全開時に、前記操作杆１５を第１の縦枠杆１３に合体させたあと、該操作杆１５と第１の縦枠杆１３とを、それらがスクリーン枠１１の間口方向に隣り合う第１位置Ａから、スクリーン枠１１の奥行き方向に隣り合う第２位置Ｂに変位させることにより、建物開口部の間口を広くすることができる。特に、図１０の従来装置の場合には、スクリーン枠５０の間口Ｗが大きくなると、折畳式のスクリーン５４の襞数が多くなるため、該スクリーン５４を開放して第１の縦枠杆５１ａと操作杆５３とを合体させた時の横幅Ｙが前記襞数に比例して長くなるのに対し、本発明においては、スクリーン枠１１の間口が大きくなってスクリーンの襞数が増えても、合体した第１の縦枠杆１３と操作杆１５とを前記スクリーン枠１１の奥行き方向に方向転換させることにより、該スクリーン枠１１の間口を塞ぐ部分は、常に第１の縦枠杆１３及び操作杆１５の側面幅Ｘ分だけとなり、建物開口部の開口幅が広くなる。この結果、前記建物開口部を通じての眺望性が良くなるばかりでなく、合体した前記操作杆１５と第１の縦枠杆１３とが障子の清掃や開閉操作等の邪魔にならないため、該障子の清掃や開閉操作等を行い易くなる等の利点がある。
【符号の説明】
【００３１】
Ａ      第１位置
Ｂ      第２位置
１０      スクリーン装置
１１      スクリーン枠
１２ａ，１２ｂ      横枠杆
１３      第１の縦枠杆
１４      第２の縦枠杆
１５      操作杆
１６      スクリーン
２０      第１のワイヤー
２１      第２のワイヤー
２０ａ，２１ａ      一端
２０ｂ，２１ｂ      他端
２２      第１の引張ばね
２３      第２の引張ばね
２４      第１の連結部
２５      第２の連結部
３０      受容部
３２      揺動アーム
３３      支持部材
３６      揺動支持軸
３７      連結ピン
４１ａ      縦枠杆支持部
４１ｂ      操作杆支持部
【図１】
2015148058.tif 000003
【図２】
2015148058.tif 000004
【図３】
2015148058.tif 000005
【図４】
2015148058.tif 000006
【図５】
2015148058.tif 000007
【図６】
2015148058.tif 000008
【図７】
2015148058.tif 000009
【図８】
2015148058.tif 000010
【図９】
2015148058.tif 000011
【図１０】
2015148058.tif 000012